【事件の表示】
　特願２０１４−２１８４７２号「遊技機」拒絶査定不服審判事件〔平成２８年５月１９日出願公開、特開２０１６−８３２２０号〕について、次のとおり審決する。
【結　論】
　本件審判の請求は、成り立たない。
【理　由】
第１　手続の経緯 
　本願は、平成２６年１０月２７日の出願であって、平成２８年１月１９日付けで拒絶の理由が通知され、平成２８年３月２５日に意見書及び手続補正書が提出され、平成２８年８月２９日付けで拒絶の理由が通知され、平成２８年１１月２日に意見書及び手続補正書が提出されたところ、平成２９年４月１７日付け（発送日：平成２９年４月２５日）で拒絶査定がなされ、それに対して、平成２９年７月２４日に拒絶査定不服審判の請求がなされると同時に手続補正がなされたものである。
第２　平成２９年７月２４日にされた手続補正についての補正の却下の決定 
［補正の却下の決定の結論］ 
　平成２９年７月２４日にされた手続補正（以下、「本件補正」という。）を却下する。 
［理由］ 
１．本件補正について 
　本件補正は、特許請求の範囲の補正を含んでおり、本件補正により、平成２８年１１月２日付けの手続補正書における特許請求の範囲の請求項１の記載
「【請求項１】
Ａ　識別情報が変動表示を経て特定態様で停止表示されることに基づいて、可変入球装置を遊技球受入可能な態様で作動させる特定遊技が実行可能となる遊技機であって、
Ｂ　前記識別情報が変動表示する際の変動モードを設定する変動モード設定手段を備え、
Ｃ　前記変動モード設定手段は、
　前記特定遊技の終了後から起算した前記識別情報の変動表示回数に応じて、複数の変動モードを１つずつ所定の順序で切り換えて設定することが可能であり、
Ｄ’　前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードの次に設定予定の変動モードを除く他の変動モードを設定し、
Ｅ　前記複数の変動モードは、前記識別情報の変動表示を実行する期間として決定される変動表示時間の選択傾向が互いに異なるよう構成されている
Ｆ　ことを特徴とする遊技機。」（以下「本件補正前請求項１」という。）
は、審判請求時に提出された手続補正書（平成２９年７月２４日付け）における 
「【請求項１】
Ａ　識別情報が変動表示を経て特定態様で停止表示されることに基づいて、可変入球装置を遊技球受入可能な態様で作動させる特定遊技が実行可能となる遊技機であって、
Ｂ　前記識別情報が変動表示する際の変動モードを設定する変動モード設定手段を備え、
Ｃ　前記変動モード設定手段は、
　前記特定遊技の終了後から起算した前記識別情報の変動表示回数に応じて、複数の変動モードを１つずつ所定の順序で切り換えて設定することが可能であり、
Ｄ　前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モード
とは異なる変動モードであって前記特定態様の種類に応じて異なり得る
Ｅ　前記複数の変動モードは、前記識別情報の変動表示を実行する期間として決定される変動表示時間の選択傾向が互いに異なるよう構成されている
Ｆ　ことを特徴とする遊技機。」 （以下「本件補正後請求項１」という。）
に補正された（下線は、補正箇所を明示するために当審にて付した。また、Ａ〜Ｆは分説のため当審にて付与した。以下「構成Ａ」などという。）。
２．補正の適否 
（１）本件補正 
　本件補正は、本件補正前請求項１の上記構成Ｄ’について、特定遊技終了後の変動モードに関する「前記複数の変動モードのうち前記一の変動モードの次に設定予定の変動モードを除く他の変動モードを設定し」との記載を、上記構成Ｄの「前記複数の変動モードのうち前記一の変動モード
とは異なる変動モードであって前記特定態様の種類に応じて異なり得る
（２）新規事項の有無についての検討 
　本件補正にあたり請求人は審判請求書において、上記補正事項１の根拠として、「段落０１９１乃至０１９２等の記載事項であり、ここには『ループ期間に小当り遊技が行われた場合、該小当り遊技が行われる際に停止表示された小当り図柄の種類に対応する変動モードを設定する構成』について記載されており、小当り遊技が行われる際に設定されていた変動モードとは異なる変動モードであって、小当り図柄の種類に応じて変化する変動モードを設定することについて例示されている。」と主張している。
　しかし、願書に最初に添付した明細書、特許請求の範囲又は図面（以下「当初明細書等」という。）の【０１９１】には
「また、ループ期間に小当り遊技が行われた場合、該小当り遊技が行われる際に停止表示された小当り図柄の種類に対応する変動モードを設定する構成としてもよい。例えば、小当り図柄１０１〜１０５が停止表示された場合は設定中の変動モードをそのまま設定し、小当り図柄１０６〜１１０が停止表示された場合は変動モードＡを設定し、小当り図柄１１１〜１１５が停止表示された場合は変動モードＢを設定し、小当り図柄１１６〜１２０が停止表示された場合は変動モードＣを設定し、小当り図柄１２１〜１２５が停止表示された場合は変動モードＤを設定する構成としてもよい。このような構成とした場合は、変動モードの設定頻度に偏りが生じてしまうことを抑制しつつ、小当り図柄の種類に遊技者を注目させることができる。」
と記載されており、この記載は、当初明細書等の【００７５】において「２５種類の小当り図柄１０１〜１２５」と説明される全ての「小当り図柄」を、現状の変動モードの維持を含め、すべての変動モードである「変動モードＡ」〜「変動モードＤ」の何れかに割り当てることを示すものであり、当該割当や小当り図柄の選出にあたり、現在の変動モードなど、他の条件を考慮することについての言及が無いことに加え、「小当り図柄１０１〜１０５が停止表示された場合は設定中の変動モードをそのまま設定」なる、現状の変動モードを維持する場合があることについても明示的に記載されている。
　また、停止図柄の種類に応じて変動モードを選ぶ実施形態はこれをおいて他に記載がない。
　よって、当初明細書等には、「小当り遊技が行われる際に停止表示された小当り図柄の種類に対応する変動モードを設定する」、すなわち停止図柄の種類に応じて変動モードを選ぶという変動モードの設定形態を採る場合に、現在の変動モードを考慮して変動モードを決定することについて、記載も示唆もないといえる。
　一方、前記【０１９１】の記載事項は、当初明細書等の【０１８９】の「以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。」との記載を受けた変形例についての記載として位置付けられるものであるが、ここで「本発明の実施例」とされる当初明細書等の【００１７】〜【０１８８】の記載事項では、上記本件補正後請求項１の構成Ｄのうち、「前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードとは異なる変動モード・・・を設定し」なる特定事項については、【０１４６】に記載された「ループ期間中は、変動モードＡ→変動モードＢ→変動モードＣ→変動モードＤの順に変動モードが設定（変更）され、変動モードＤが設定された後は、再び、変動モードＡ→変動モードＢ→変動モードＣ→変動モードＤの順に設定（変更）することを繰り返す。」との制御を前提として、当初明細書等の【０１５２】に記載された「ループ期間中に小当り遊技が行われると、図柄変動遊技の実行回数に基づいて変動モードを順次変更する場合とは異なり、変動モードがスキップして設定される。すなわち、ループ期間中に小当り遊技が行われると、変動モードＡが設定されていれば該変動モードＡに代えて変動モードＣが設定され、変動モードＢが設定されていれば該変動モードＢに代えて変動モードＤが設定され、変動モードＣが設定されていれば該変動モードＣに代えて変動モードＡが設定され、変動モードＤが設定されていれば該変動モードＤに代えて変動モードＢが設定される。」との処理を行うこと（即ち、【０１９０】にいう「ループ期間に小当り遊技が行われると、２つ後の変動モードを設定する構成」）が対応する。
　しかし、変動モード中の小当り図柄停止を契機として、順次ループする変動モードについて、現状の変動モードの２つ後の順番の変動モードにスキップする実施形態と、現状モード維持を含め、該小当りの停止図柄に応じた変動モードに設定する実施形態とは、相互に矛盾する関係にあり、そのままでは両者は択一的にしか選択できない。
　また、仮に前記両実施形態を併用する場合には、停止図柄に基づき選択された変動モードが現在の変動モードと等しい場合に何らかの措置が必要となるが、当該措置について当初明細書等に何らの言及も無い。
　以上のとおりであるから、請求人が根拠とする当初明細書等の【０１９１】〜【０１９２】の記載からも、また、当初明細書等の【００１７】〜【０１８８】に記載された「本発明の実施例」を合わせ読んでも、本件補正によって新たに請求項１に加入された上記補正事項１を導き出すことはできない。
　したがって、本件補正は、願書に最初に添付した明細書、特許請求の範囲又は図面に記載した事項の範囲内においてしたものでなく、また、これらすべての記載を総合することにより導かれる技術事項との関係において新たな技術事項を導入するものであり、特許法第１７条の２第３項の規定に違反するものである。 
　よって、本件補正は、補正の目的を検討するまでもなく、特許法第１７条の２第３項の規定に違反するので、同法第１５９条第１項において読み替えて準用する同法第５３条第１項の規定により却下すべきものである。　 
（３）補正の目的要件違反についての検討 
　前項（２）のとおり、本件補正は特許法第１７条の２第３項の規定に違反するものであるが、念のため、本件補正が補正の目的要件を満たすかについて以下に検討する。
　上記補正事項１により、現在設定されている「一の変動モード」に対し、次に設定されるべき変動モードは、本件補正前の構成Ｄ’では「一の変動モードの次に設定予定の変動モードを除く他の変動モード」であるのに対し、本件補正後の構成Ｄでは「一の変動モードとは異なる変動モードであって前記特定態様の種類に応じて異なり得る変動モード」であり、構成Ｄ’の「次に設定予定の変動モードを除く」点に対応する構成は補正後の構成Ｄには含まれず、一方で補正後の構成Ｄには、補正前の構成Ｄ’が備えない「特定態様の種類に応じて異なり得る変動モード」である点が新たに追加されているといえる。
　そうすると、上記補正事項１により、構成Ｄ’の「次に設定予定の変動モードを除く」点は削除されたか、または、その下位概念ではない別概念にあたる「特定態様の種類に応じて異なり得る変動モード」である点に変更されたということができ、拒絶理由通知に係る拒絶の理由に示す事項についてする明りょうでない記載の釈明にもあたらないから、本件補正は特許法第１７条の２第５項第１〜４号に挙げるいずれの事項を目的とするものでもない。
　よって、仮に上記補正事項１が、前項２．（２）において説示したように新規事項の追加にあたることを理由として本件補正を却下すべきものではないとしても、本件補正は特許法第１７条の２第５項各号のいずれを目的とするものでもないから、特許法第１５９条第１項において読み替えて準用する同法第５３条第１項の規定により却下すべきものである。 
３．本件補正発明の独立特許要件についての検討 
　本件補正が新規事項の追加、または目的外補正であることを理由として却下すべきものであることは上記２．（２）、（３）で説示したとおりであるが、仮にそうとまで言えないとすると、上記補正事項１は、補正前の構成Ｄに記載された、発明を特定するために必要な事項である「特定遊技の終了後の変動モード」について、新たに「特定態様の種類に応じて異なり得る変動モード」である点を限定することを含むものである。
　よって、念のため、上記本件補正後請求項１に記載された発明（以下、「本件補正発明」という。）が特許出願の際独立して特許を受けることができるものであるかについて、以下に検討することとする。 
（１）本件補正発明について 
　本件補正発明は、上記１．に「本件補正後請求項１」として示したとおりのものである。
（２）刊行物１に記載された発明 
　原査定の拒絶理由において提示された、本願の出願前に頒布された刊行物である特開２０１４−１８３９１１号公報（以下「刊行物１」という。）には、図面と共に次の事項が記載されている（下線は当審にて付した。以下同じ。）。 
ア　刊行物１の明細書には次の事項が記載されている。
「【０００１】
　本発明は、遊技中に抽選契機が発生すると、
図柄の変動表示を行った後に抽選の結果を表す態様で図柄を停止表示させる遊技機
「【００７８】
　また、上記の
可変入賞装置３０
特別図柄が非当選以外の態様で停止表示時間にわたり停止表示された場合
に作動し、大入賞口
への入球（入賞）を可能にする
大入賞口を開放
「【０２２２】
〔特別図柄遊技処理〕
　次に、割込管理処理（図９）の中で実行される特別図柄遊技処理の詳細について説明する。
図１４は、特別図柄遊技処理の構成例を示すフローチャートである。特別図柄遊技処理は、実行選択処理（ステップＳ１０００）、特別図柄変動前処理（ステップＳ２０００）、特別図柄変動中処理（ステップＳ３０００）、特別図柄停止表示中処理（ステップＳ４０００）、大当り時可変入賞装置管理処理（ステップＳ５０００）、小当り時可変入賞装置管理処理（ステップＳ６０００）のサブルーチン（プログラムモジュール）群を含む構成である。
【０２２３】
　
ステップＳ１０００：実行選択処理において、主制御ＣＰＵ７２は
選択する。
・・・
【０２２５】
　ステップＳ２０００：特別図柄変動前処理では、主制御ＣＰＵ７２は特別図柄の変動表示を開始するための条件を整える作業を行う。なお、具体的な処理の内容は、別のフローチャートを用いて後述する。
・・・
【０２２８】
　ステップＳ５０００：大当り時可変入賞装置管理処理は、先の
特別図柄停止表示中処理において大当りの態様で特別図柄が停止表示された場合に選択される
大当り遊技状態（遊技者にとって有利な特別遊技状態）に移行する契機が発生
可変入賞装置３０が決まったパターンで開閉動作
この間に可変入賞装置３０に対して遊技球を集中的に入賞させることで、遊技者には、まとまって多くの賞球を獲得する機会が与えられる
「【０２５２】
　また、本実施形態では、
遊技状態に対応した複数種類の区間が用意されており、滞在している区間に応じて選択される変動パターンの内容も異なったものとなる。
・・・
【０２５４】
（２）
第１特殊区間　特別図柄抽選に関して高確率状態であり、普通図柄抽選に関しても高確率状態（電チューサポートありの状態）であり、特別遊技後変動回数が「１」の値をとる場合である。
【０２５５】
（３）
第１区間　特別図柄抽選に関して高確率状態であり、普通図柄抽選に関しても高確率状態（電チューサポートありの状態）であり、特別遊技後変動回数が「２〜５０」の値をとる場合である。
【０２５６】
（４）
第２特殊区間　特別図柄抽選に関して高確率状態であり、普通図柄抽選に関しても高確率状態（電チューサポートありの状態）であり、特別遊技後変動回数が「５１」の値をとる場合である。
【０２５７】
（５）
第２区間　特別図柄抽選に関して高確率状態であり、普通図柄抽選に関しても高確率状態（電チューサポートありの状態）であり、特別遊技後変動回数が「５２以降」の値をとる場合である。
【０２５８】
（６）
時短区間　特別図柄抽選に関して低確率状態であり、普通図柄抽選に関して高確率状態（電チューサポートありの状態）であり、特別遊技後変動回数が「１〜５０」の値をとる場合である。
【０２５９】
　そして、これらの
各種区間は、主制御ＣＰＵ７２において管理される区間であり、主制御ＣＰＵ７２は、滞在区間に応じて変動パターンを決定する（区間設定手段）。主制御ＣＰＵ７２は、高確率時間短縮状態が設定される場合、高確率時間短縮状態（での遊技）が進行していく過程に応じて、少なくとも第１特殊区間、第１区間、第２特殊区間、及び第２区間をこの順番に設定する（区間設定手段）。
「【０２６４】
　図１７は、はずれ時変動パターン選択テーブル（高確率時間短縮状態・
第１特殊区間
　この選択テーブルは、高確率時間短縮状態の第１特殊区間でのはずれ時（非当選に該当した場合）に使用するテーブルである（変動パターン規定手段）。
　ここで、高確率時間短縮状態の第１特殊区間でのはずれ時の変動パターンは、第１特殊区間での演出尺を確保するため、すべて同一の変動パターン（
変動時間は例えば２０秒程度
・・・
【０２６６】
　図１８は、はずれ時変動パターン選択テーブル（高確率時間短縮状態・
第１区間
・・・
【０２６７】
　変動パターン番号「２１」〜「２８」は、いずれもリーチ演出が行われずに、はずれとなる変動パターンに対応している。ただし、変動パターン番号「２１」〜「２８」は、時間短縮変動での非リーチ変動となるため、通常状態の変動時間として短縮した
変動時間（例えば、２．０秒程度）
・・・
【０２６９】
　図１９は、はずれ時変動パターン選択テーブル（高確率時間短縮状態・
第２特殊区間
　この選択テーブルは、高確率時間短縮状態の第２特殊区間でのはずれ時（非当選に該当した場合）に使用するテーブルである（変動パターン規定手段）。
　ここで、高確率時間短縮状態の第２特殊区間でのはずれ時の変動パターンは、第２特殊区間での演出尺を確保するため、すべて同一の変動パターン（
変動時間は例えば２０秒程度
・・・
【０２７１】
　図２０は、はずれ時変動パターン選択テーブル（高確率時間短縮状態・
第２区間
・・・
【０２７２】
　変動パターン番号「４１」〜「４８」は、いずれもリーチ演出が行われずに、はずれとなる変動パターンに対応している。ただし、変動パターン番号「４１」〜「４８」は、時間短縮変動での非リーチ変動となるため、通常状態の変動時間として短縮した
変動時間（例えば、２．０秒程度）
「【０２９７】
　図２５は、大当り時変動パターン選択テーブル（高確率時間短縮状態・
第１特殊区間
　この選択テーブルは、高確率時間短縮状態の第１特殊区間での当選時に使用するテーブルである（変動パターン規定手段）。
　ここで、高確率時間短縮状態の第１特殊区間での当選時の変動パターンは、第１特殊区間での演出尺を確保するため、すべて同一の変動パターン（
変動時間は例えば２０秒程度
・・・
【０３０２】
　図２７は、大当り時変動パターン選択テーブル（高確率時間短縮状態・
第２特殊区間
　この選択テーブルは、高確率時間短縮状態の第２特殊区間での当選時に使用するテーブルである（変動パターン規定手段）。
　ここで、高確率時間短縮状態の第２特殊区間での当選時の変動パターンは、第２特殊区間での演出尺を確保するため、すべて同一の変動パターン（
変動時間は例えば２０秒程度
「【０３５０】〔区間管理処理〕　図３２は、上記の区間管理処理の手順例を示すフローチャートである。以下、各手順に沿って説明する。
・・・
【０３５２】
　その結果、変動パターン選択用カウンタ値が「０」よりも大きいことを確認した場合（ステップＳ４６６０：Ｙｅｓ）、主制御ＣＰＵ７２はステップＳ４６６２を実行する。これに対して、変動パターン選択用カウンタ値が「０」よりも大きくないことを確認した場合、例えば変動パターン選択用カウンタ値が「０」である場合（ステップＳ４６６０：Ｎｏ）、
主制御ＣＰＵ７２は特別図柄停止表示中処理（図３１）に復帰する
　なお、変動パターン選択用カウンタ値が「０」である場合とは、通常区間（低確率非時間短縮状態又は高確率非時間短縮状態）に滞在していることを意味する。
「【０３７０】
〔大当り時可変入賞装置管理処理〕
　次に、大当り時可変入賞装置管理処理の詳細について説明する。
図３４は、大当り時可変入賞装置管理処理の構成例を示すフローチャートである。大当り時可変入賞装置管理処理は、
大当り時終了処理（ステップＳ５５００）のサブルーチン群を含む構成である。
・・・
【０３７２】
　・・・設定された連続作動回数（ラウンド数）にわたって大当り時大入賞口開閉動作処理及び大当り時大入賞口閉鎖処理が繰り返し実行されると、
主制御ＣＰＵ７２は次のジャンプ先として大当り時終了処理（ステップＳ５５００）を選択する
「【０４０４】
〔
大当り時終了処理
　
図３８は、大当り時終了処理の手順例を示すフローチャートである。
・・・
【０４０７】
　この後、
時間の経過に伴って大当り時終了時間タイマの値が０になると、主制御ＣＰＵ７２は大当り時終了時間が経過したと判断し（Ｙｅｓ）、ステップＳ５５０３以降を実行する。
「【０４１７】
〔
区間設定処理
　
図３９は、上記の区間設定処理の手順例を示すフローチャートである。
【０４１８】
　ステップＳ５６００：
主制御ＣＰＵ７２は
イ　刊行物１の図面には以下の事項が記載されている。 
（ア）図１４、３１，３４、３８、３９の各フローチャートは、上記【０２２２】〜【０２２３】、【０３５２】、【０３７０】、【０３７２】、【０４０４】、【０４０７】、【０４１７】〜【０４１８】の記載（主として上記下線部参照）の参酌により主制御ＣＰＵ７２による制御を示すといえ、これらを順に辿ると（参照箇所は「Ｓ４０００」などのステップ番号による）、「特別図柄が変動・停止する特別図柄遊技において、特別図柄が停止表示されると（Ｓ４０００、図１４）、それが「大当り図柄」である場合に「大当り時可変入賞装置管理処理」に移行し（Ｓ４３００、図３１、３４）、「大当り時終了処理」（Ｓ５５００、図３４）の「区間設定処理」（Ｓ５５１３、図３８）を実行して、大当り図柄種別が「１５Ｒ確変図柄」または「時短中の２Ｒ確変図柄」であれば（Ｓ５６００）「第１特殊区間」をセットし（Ｓ５６０４），大当り図柄種別が「時短中の２Ｒ通常図柄」であれば（Ｓ５６００）「時短区間」をセット（Ｓ５６０８）する」、処理フローを読み取ることができる。
（イ）図１７〜２０，２５〜２９から、「第１特殊区間に対し、ハズレ時、大当り時共に、変動時間が２０秒程度（【０２６４】、【０２９７】下線部参酌）の非リーチ変動パターンが１種ずつ割当てられること（図１７、２５）、第１区間に対しはずれ時は非リーチ変動パターン８種（変動時間２．０秒程度（【０２６６】、【０２６７】下線部参酌））が、大当りの時はリーチ後当り変動パターン８種が、それぞれ割り当てられ（図１８、２６）、第２特殊区間に対しはずれ時、大当り時共に変動時間が２０秒程度（【０２６９】、【０３０２】下線部参酌）の非リーチ変動パターンが割り当てられ（図１９、２７）、第２区間に対しはずれ時は非リーチ変動パターン８種（変動時間２．０秒程度（【０２７１】〜【０２７２】下線部参酌））が、大当りの時はリーチ後当り変動パターン８種が、それぞれ割り当てられ（図２０、２８）ること」を読み取ることができる。
ウ　上記アの各記載事項及び上記イで認定した図面の記載事項から、以下の事項が導かれる。 
（あ）上記【０００１】には「図柄の変動表示を行った後に抽選の結果を表す態様で図柄を停止表示させる遊技機」と記載されている。
　また、同【００７８】には「特別図柄が非当選以外の態様で停止表示時間にわたり停止表示された場合・・・に作動し、」「大入賞口を開放」し、「大入賞口・・・への入球（入賞）を可能にする」「可変入賞装置３０」を備えることが記載されているといえる。
　また、同【０２２８】には「特別図柄停止表示中処理において大当りの態様で特別図柄が停止表示された場合」、「大当り遊技状態（遊技者にとって有利な特別遊技状態）に移行する契機が発生」し、「可変入賞装置３０が決まったパターンで開閉動作」し、「この間に可変入賞装置３０に対して遊技球を集中的に入賞させることで、遊技者には、まとまって多くの賞球を獲得する機会が与えられる」ことが記載されているといえる。
　以上から、刊行物１には「特別図柄の変動表示を行った後に大当たりの態様で停止表示された場合、可変入賞装置３０が決まったパターンで開放動作して、可変入賞装置３０に対して遊技球を集中的に入賞させることで、遊技者には、まとまって多くの賞球を獲得する機会が与えられる、特別遊技状態に移行する、遊技機」が記載されているといえる。
（い）上記【０２５２】には「遊技状態に対応した複数種類の区間が用意されており、滞在している区間に応じて選択される変動パターンの内容も異なったものとなる。」と記載され、同【０２５９】には「各種区間は、主制御ＣＰＵ７２において管理される区間であり、主制御ＣＰＵ７２は、滞在区間に応じて変動パターンを決定する（区間設定手段）。」と記載されている。
　よって、刊行物１には「選択される変動パターンの内容が異なる複数種類の区間を設定する主制御ＣＰＵ７２」を備えることが記載されているといえる。
（う）上記【０２５４】〜【０２５８】には、それぞれ、「第１特殊区間　特別図柄抽選に関して高確率状態であり、普通図柄抽選に関しても高確率状態（電チューサポートありの状態）であり、特別遊技後変動回数が「１」の値をとる場合である。」、「第１区間　特別図柄抽選に関して高確率状態であり、普通図柄抽選に関しても高確率状態（電チューサポートありの状態）であり、特別遊技後変動回数が「２〜５０」の値をとる場合である。」、「第２特殊区間　特別図柄抽選に関して高確率状態であり、普通図柄抽選に関しても高確率状態（電チューサポートありの状態）であり、特別遊技後変動回数が「５１」の値をとる場合である。」、「第２区間　特別図柄抽選に関して高確率状態であり、普通図柄抽選に関しても高確率状態（電チューサポートありの状態）であり、特別遊技後変動回数が「５２以降」の値をとる場合である。」、「時短区間　特別図柄抽選に関して低確率状態であり、普通図柄抽選に関して高確率状態（電チューサポートありの状態）であり、特別遊技後変動回数が「１〜５０」の値をとる場合である。」と記載されている。
　また、同【０２５９】には「主制御ＣＰＵ７２は、高確率時間短縮状態が設定される場合、高確率時間短縮状態（での遊技）が進行していく過程に応じて、少なくとも第１特殊区間、第１区間、第２特殊区間、及び第２区間をこの順番に設定する（区間設定手段）。」と記載されている。
　よって、刊行物１には「主制御ＣＰＵ７２は、特別遊技後の変動回数が１、２〜５０、５１、５２以降、の各値を順にとることに応じて、「第１特殊区間」、「第１区間」、「第２特殊区間」、「第２区間」をこの順番に設定することが可能である」ことが記載されているといえる。
（え）上記イ（ア）で認定したとおり、図１４、３１，３４、３８、３９の記載から、「特別図柄が変動・停止する特別図柄遊技において、特別図柄が停止表示されると、それが「大当り図柄」である場合に「大当り時可変入賞装置管理処理」に移行し、「大当り時終了処理」の「区間設定処理」を実行して、大当り図柄種別が「１５Ｒ確変図柄」または「時短中の２Ｒ確変図柄」であれば「第１特殊区間」をセットし，大当り図柄種別が「時短中の２Ｒ通常図柄」であれば「時短区間」をセットする」、処理フローを読み取ることができる。（以下「認定事項「え１」という。）
　また、上記【０２５９】の「主制御ＣＰＵ７２は、高確率時間短縮状態が設定される場合、高確率時間短縮状態（での遊技）が進行していく過程に応じて、少なくとも第１特殊区間、第１区間、第２特殊区間、及び第２区間をこの順番に設定する（区間設定手段）。」なる記載から、「第１特殊区間、第１区間、第２特殊区間、及び第２区間をこの順番に設定」してゆく期間は「高確率時間短縮状態」すなわち「高確率状態」かつ「時短状態」であるといえる。
　よって、上記認定事項え１において、前記期間に大当り図柄種別が「２Ｒ確変図柄」、「２Ｒ通常図柄」となる場合は、それぞれ「時短中の２Ｒ確変図柄」、「時短中の２Ｒ通常図柄」に該当することになるので、前者に対応する大当たり遊技が終了した後は「第１特殊区間」がセットされ、後者に対応する大当り遊技が終了した後は「時短区間」がセットされるといえる。
　したがって、刊行物１には、「「第１特殊区間」、「第１区間」、「第２特殊区間」、「第２区間」の何れかを実行しているときに大当り遊技が実行された場合には、その終了後は当該大当たり遊技が「１５Ｒ確変」または「２Ｒ確変」であれば「第１特殊区間」をセットし，大当り図柄種別が「２Ｒ通常図柄」であれば「時短区間」をセットする」ことが記載されているといえる。
（お）上記イ（イ）で認定したとおり、図１７〜２０，２５〜２９の記載からは、「第１特殊区間に対し、ハズレ時、大当り時共に、変動時間が２０秒程度の非リーチ変動パターンが１種ずつ割当てられること、第１区間に対しはずれ時は非リーチ変動パターン８種（変動時間２．０秒程度）が、大当りの時はリーチ後当り変動パターン８種が、それぞれ割り当てられ、第２特殊区間に対しはずれ時、大当り時共に変動時間が２０秒程度の非リーチ変動パターンが割り当てられ、第２区間に対しはずれ時は非リーチ変動パターン８種（変動時間２．０秒程度）が、大当りの時はリーチ後当り変動パターン８種が、それぞれ割り当てられること」を読み取ることができる。
　このことから、刊行物１には、「少なくとも、変動時間が約２０秒程度とされる「第１特殊区間」及び「第２特殊区間」と、はずれ時の変動時間が２．０秒程度とされる「第１区間」及び「第２区間」との間では、変動時間の選択割合が相違する」ことが記載されているといえる。
エ　上記アの各記載事項、上記イ・ウの認定事項から、刊行物１には次の発明（以下「刊行物１発明」という。）が記載されていると認められる（ａ〜ｆは、本件補正発明のＡ〜Ｆに対応させて付与した。また「（あ）」などは対応する前項の認定事項番号を表す。）。 
「ａ　特別図柄の変動表示を行った後に大当たりの態様で停止表示された場合、可変入賞装置３０が決まったパターンで開放動作して、可変入賞装置３０に対して遊技球を集中的に入賞させることで、遊技者には、まとまって多くの賞球を獲得する機会が与えられる、特別遊技状態に移行する、遊技機であって、（あ）
ｂ　選択される変動パターンの内容が異なる複数種類の区間を設定する主制御ＣＰＵ７２を備え、（い）
ｃ　主制御ＣＰＵ７２は、特別遊技後の変動回数が１、２〜５０、５１、５２以降、の各値を順にとることに応じて、「第１特殊区間」、「第１区間」、「第２特殊区間」、「第２区間」をこの順番に設定することが可能であり、（う）
ｄ　「第１特殊区間」、「第１区間」、「第２特殊区間」、「第２区間」の何れかを実行しているときに大当り遊技が実行された場合には、その終了後は当該大当たり遊技が「１５Ｒ確変」または「２Ｒ確変」であれば「第１特殊区間」をセットし，大当り図柄種別が「２Ｒ通常図柄」であれば「時短区間」をセットし、（え）
ｅ　少なくとも、変動時間が約２０秒程度とされる「第１特殊区間」及び「第２特殊区間」と、はずれ時の変動時間が２．０秒程度とされる「第１区間」及び「第２区間」との間では、変動時間の選択割合が相違する、（お）
ｆ　遊技機。（あ）」
（３）刊行物２に記載された技術事項
　原査定の拒絶理由において提示された、本願の出願前に頒布された刊行物である特開２０１１−３６３８７号公報（以下「刊行物２」という。）には、図面と共に次の事項が記載されている（下線は当審にて付した。以下同じ。）。 
ア　刊行物２の明細書には次の事項が記載されている。
「【００９１】
　モード設定部３０３は、大当たり抽選部３０２からの抽選結果を受け付け、大当たり抽選において特定のハズレ（小当たり）に当選した場合に、当選した小当たりに対応するモードを設定する機能を有する。詳細な説明は後述するが、本実施の形態において、
ぱちんこ遊技機１００は、Ａモード、Ｂモード、Ｃモードの３つのモードを有
「【０１０３】
　図４に示すように、主制御部２０１は、
小当たりＡに当選した場合にはＡモードへ移行
Ａモードへの移行は、Ｃモードのみからおこなわれ、
【０１０４】
　また、主制御部２０１は、
小当たりＢに当選した場合にはＢモードへ移行
Ｂモードへの移行は、Ａモードのみからおこなわれ、
【０１０５】
　そして、主制御部２０１は、
小当たりＣに当選した場合にはＣモードへ移行
Ｃモードへの移行は、Ｂモードのみからおこなわれ、
「【０１１８】
　このため、本実施の形態の図柄乱数判定において、
Ａモードである場合には小当たりＢのみに当選し、Ｂモードである場合には小当たりＣのみに当選し、Ｃモードである場合には小当たりＡのみに当選する
【０１１９】
　このように、本実施の形態では、モードの移行契機となる小当たりの内容を、それぞれのモードで用いる図柄乱数判定テーブルにおいて限定しているので、
主制御部２０１は、ＡモードからＢモードへ、ＢモードからＣモードへといったように、規則的なモードの移行をおこなう
「【０１２２】
　図７−１に示すように、ノーマルハズレ時に用いる変動パターンテーブルＮｔは、異なる変動パターンが複数（図示の例では５つ）登録されて構成されている。変動パターンテーブルＮｔの各変動パターンには、それぞれの変動パターンが定義する特別図柄の変動時間と、それぞれの変動パターンの選択条件（図示の例では「モード」と「保留数」）とが対応づけられている。」
イ　刊行物２の図面には以下の事項が記載されている。 
　図７−１からは、上記【０１２２】の記載事項を参酌すると、Ａモードに対し保留数に対応付けて変動時間１５秒及び５秒の変動パターンが割り当てられ、Ｂモードに対し変動時間１０秒の変動パターンが割り当てられ、Ｃモードに対し保留数に対応付けて２５秒及び２０秒の変動パターンが割り当てられることを読み取ることができる。
ウ　上記アの各記載事項及び上記イで認定した図面の記載事項から、以下の事項が導かれる。 
　上記【００９１】、【０１０３】〜【０１０５】、【０１１８】〜【０１１９】の記載事項、及び上記イの認定事項から、刊行物１には「ぱちんこ遊技機１００は、小当たりＡに当選した場合に移行するＡモード、小当たりＢに当選した場合に移行するＢモード、小当たりＣに当選した場合に移行するＣモードの３つのモードを有し、Ｃモードへの移行は、Ｂモードのみからおこなわれ、Ａモードである場合には小当たりＢのみに当選し、Ｂモードである場合には小当たりＣのみに当選し、Ｃモードである場合には小当たりＡのみに当選することにより、Ａモードへの移行は、Ｃモードのみからおこなわれ、Ｂモードへの移行は、Ａモードのみからおこなわれ、主制御部２０１は、ＡモードからＢモードへ、ＢモードからＣモードへといったように、規則的なモードの移行をおこない、Ａモードに対し保留数に対応付けて変動時間１５秒及び５秒の変動パターンが割り当てられ、Ｂモードに対し変動時間１０秒の変動パターンが割り当てられ、Ｃモードに対し保留数に対応付けて２５秒及び２０秒の変動パターンが割り当てられること」が記載されているといえる。
（４）刊行物３に記載された技術事項
　本願の出願前（公開日は平成２６年７月７日）に頒布された刊行物である特開２０１４−１２４３７３号公報（以下「刊行物３」という。）には、図面と共に次の事項が記載されている（下線は当審にて付した。以下同じ。）。 
ア　刊行物３の明細書には次の事項が記載されている。
「【００８４】
　この実施の形態では、飾り図柄の可変表示中において行われる演出（リーチ演出を含む。）について、演出態様の異なる複数の演出モードが用意されている（図２４などを参照、詳しくは後述する。）。具体的には、遊技状態が時短状態でないとき（例えば、通常状態や、高確低ベース状態のとき）には、演出モードは「モード０」となる。
大当り遊技状態後の最初の可変表示から５０回目の可変表示までの時短状態では、演出モードは「モード１」となり、大当り遊技状態後の５１回目の可変表示から１００回目の可変表示までの時短状態では、演出モードは「モード２」となり、大当り遊技状態後の１０１回目の可変表示から大当り遊技状態に継続するまでの時短状態では、演出モードは「モード３」とな
「【０１６１】
　ＣＰＵ１０３は、変動用乱数バッファから読み出した変動パターン決定用の乱数値ＭＲ３を示す数値データに基づいて、現在の演出モードに対応して使用されるハズレ変動パターン決定テーブルを参照することにより、
乱数値ＭＲ３に該当する決定値
イ　刊行物３の図面には次の事項が記載されている。
　図１２〜１４からは、上記【０１６１】の記載を参酌すると、モード１及びモード２のときには、共に、大当り変動パターンとして変動時間１０秒の「ＰＢ２−２」と変動時間３５秒の「ＰＢ２−３」とが割り当てられ、ハズレ変動パターンとして変動時間５秒の「ＰＡ２−１」、変動時間１０秒の「ＰＡ２−２」、変動時間３５秒の「ＰＡ２−３」が割り当てられると共に、モード１とモード２との間で、「ＰＢ２−２」と「ＰＢ２−３」との「乱数値ＭＲ３」範囲、及び「ＰＡ２−２」と「ＰＡ２−３」との「乱数値ＭＲ３」範囲を異ならせること、及び、モード３のときに、大当り変動パターンとして変動時間９秒の「ＰＢ３−２」、変動時間２５秒の「ＰＢ３−３」が割り当てられ、ハズレ変動パターンとして変動時間５秒の「ＰＡ３−１」、変動時間９秒の「ＰＡ３−２」、変動時間２５秒の「ＰＡ３−３」が割り当てられること、を読み取ることができる。
ウ　上記アの各記載事項及び上記イで認定した図面の記載事項から、以下の事項が導かれる。 
（ア）上記【００８４】には「大当り遊技状態後の最初の可変表示から５０回目の可変表示までの時短状態では、演出モードは「モード１」となり、大当り遊技状態後の５１回目の可変表示から１００回目の可変表示までの時短状態では、演出モードは「モード２」となり、大当り遊技状態後の１０１回目の可変表示から大当り遊技状態に継続するまでの時短状態では、演出モードは「モード３」とな」ることが記載されている。
（イ）上記イの認定事項から、刊行物３には、「モード１、モード２、モード３の間では、個々に設定されている複数の変動パターンの各変動時間と、「乱数値ＭＲ３」の範囲から計算される各変動パターンの選択確率との組合せが、相互に異なる」との技術事項が記載されているといえる。
（ウ）上記（ア）、（イ）から、刊行物３には、「大当り遊技状態後の可変表示回数に応じ順に実行されるモード１、モード２、モード３の各演出モードについて、該個々のモードに設定されている複数の変動パターンの各変動時間と、該各変動パターンの選択確率との組合せが相違する」ことが記載されているといえる。
（５）刊行物４に記載された技術事項
　本願の出願前（公開日は平成２６年１０月１６日）に頒布された刊行物である特開２０１４−１９５４８５号公報（以下「刊行物４」という。）には、図面と共に次の事項が記載されている（下線は当審にて付した。以下同じ。）。 
ア　刊行物４の明細書には次の事項が記載されている。
「【０６９８】
　
大当たり遊技が終了してから第二特別抽選が例えば２０回行われるまでの超速モードでは、第二特別図柄についての特別抽選の結果がハズレである場合において、第二特別図柄の保留数が変動開始後に「０」となるとき
は、第二特別図柄の変動時間が「５．５秒」となっており、第二特別図柄の保留数が変動開始後に「１」〜「３」となるとき
は、第二特別図柄の変動時間が「０．１５秒」と極めて短い時間となっている。
第二特別図柄についての特別抽選の結果が当たりである場合には、第二特別図柄の変動時間が例えば「２３秒」
が設定されている。
【０６９９】
　
超速モードが終了してから第二特別抽選が例えば６０回行われるまでの通常速モードでは、第二特別図柄についての特別抽選の結果がハズレである場合において、第二特別図柄の保留数が変動開始後に「０」となるとき
は、第二特別図柄の変動時間が「１２秒」となっており、第二特別図柄の保留数が変動開始後に「１」〜「３」となるとき
は、第二特別図柄の変動時間が「１．５秒」と、通常遊技状態と比べて短いものの超速モードよりも長い時間となっている。
第二特別図柄についての特別抽選の結果が当たりである場合には、第二特別図柄の変動時間が例えば「２５秒」
が設定されている。
【０７００】
　さらに、
通常速モードが終了してから時短遊技状態が終了するまでの、第二特別抽選が例えば５回行われる遅速モードでは、第二特別図柄についての特別抽選の結果がハズレである場合において、第二特別図柄の保留数が変動開始後に「０」となるとき
は、第二特別図柄の変動時間が「１１秒」となっており、第二特別図柄の保留数が変動開始後に「１」〜「３」となるとき
は、第二特別図柄の変動時間が「１１秒」と、通常速モードよりも長い時間となっている。
第二特別図柄についての特別抽選の結果が当たりである場合には、第二特別図柄の変動時間が例えば「２５秒」
が設定されている。
イ　上記アの各記載事項から、以下の事項が導かれる。
　上記【０６９８】〜【０７００】には「大当たり遊技が終了してから第二特別抽選が例えば２０回行われるまでの超速モードでは、第二特別図柄についての特別抽選の結果がハズレである場合において、第二特別図柄の保留数が変動開始後に「０」となるとき・・・は、第二特別図柄の変動時間が「５．５秒」となっており、第二特別図柄の保留数が変動開始後に「１」〜「３」となるとき・・・は、第二特別図柄の変動時間が「０．１５秒」と極めて短い時間となっている。・・・第二特別図柄についての特別抽選の結果が当たりである場合には、第二特別図柄の変動時間が例えば「２３秒」・・・が設定されている。・・・超速モードが終了してから第二特別抽選が例えば６０回行われるまでの通常速モードでは、第二特別図柄についての特別抽選の結果がハズレである場合において、第二特別図柄の保留数が変動開始後に「０」となるとき・・・は、第二特別図柄の変動時間が「１２秒」となっており、第二特別図柄の保留数が変動開始後に「１」〜「３」となるとき・・・は、第二特別図柄の変動時間が「１．５秒」と、通常遊技状態と比べて短いものの超速モードよりも長い時間となっている。・・・第二特別図柄についての特別抽選の結果が当たりである場合には、第二特別図柄の変動時間が例えば「２５秒」・・・が設定されている。・・・通常速モードが終了してから時短遊技状態が終了するまでの、第二特別抽選が例えば５回行われる遅速モードでは、第二特別図柄についての特別抽選の結果がハズレである場合において、第二特別図柄の保留数が変動開始後に「０」となるとき・・・は、第二特別図柄の変動時間が「１１秒」となっており、第二特別図柄の保留数が変動開始後に「１」〜「３」となるとき・・・は、第二特別図柄の変動時間が「１１秒」と、通常速モードよりも長い時間となっている。・・・第二特別図柄についての特別抽選の結果が当たりである場合には、第二特別図柄の変動時間が例えば「２５秒」・・・が設定されている。」と記載されている。
　ここで、「超速モード」に割り当てられた変動時間はハズレで「５．５秒」及び「０．１５秒」、大当りで「２３秒」、「通常速モード」に割り当てられた変動時間はハズレで「１２秒」及び「１．５秒」、大当りで「２５秒」、「遅速モード」に割り当てられた変動時間はハズレで「１１秒」、大当りで「２５秒」であり、各モードの間で変動時間の組合せが相互に異なっているといえる。
　また、「第二特別抽選」が行われることに対応して第二特別図柄の変動表示が行われることは自明であるから、前記「超速モード」、「通常速モード」、「遅速モード」は大当り遊技が終了してからの変動表示の回数に応じてこの順に実行されるものであるといえる。
　
　以上のことから、刊行物４には「大当り遊技実行後の変動表示回数に応じて順に実行される「超速モード」、「通常速モード」、「遅速モード」は、相互に変動表示の変動時間の組合せが異なる」ことが記載されているといえる。
（６）対比
　刊行物１発明と本件補正発明とを対比すると、以下のとおりである（下記において改行を「／」で表すことがある。）。
ア　刊行物１発明の構成ａの「特別図柄の変動表示を行った後に大当たりの態様で停止表示され」ること、「可変入賞装置３０」、「決まったパターンで開放動作」すること、「遊技球を集中的に入賞させることで、遊技者には、まとまって多くの賞球を獲得する機会が与えられる、特別遊技状態に移行する」こと、は、それぞれ、本件補正発明の構成Ａの「識別情報が変動表示を経て特定態様で停止表示されること」、「可変入球装置」、「遊技球受入可能な態様で作動させる」こと、「特定遊技が実行可能」なこと、に相当する。
　よって、前記構成ａの「特別図柄の変動表示を行った後に大当たりの態様で停止表示された場合、可変入賞装置３０が決まったパターンで開放動作して、可変入賞装置３０に対して遊技球を集中的に入賞させることで、遊技者には、まとまって多くの賞球を獲得する機会が与えられる、特別遊技状態に移行する、遊技機」は、前記構成Ａの「識別情報が変動表示を経て特定態様で停止表示されることに基づいて、可変入球装置を遊技球受入可能な態様で作動させる特定遊技が実行可能となる遊技機」に相当する。
イ　刊行物１発明の構成ｂの「選択される変動パターンの内容が異なる複数種類の区間」、「主制御ＣＰＵ７２」の機能、は、それぞれ、本件補正発明の構成Ｂの「前記識別情報が変動表示する際の変動モード」、「変動モード設定手段」の機能、に相当する。　
　よって、前記構成ｂの「選択される変動パターンの内容が異なる複数種類の区間を設定する主制御ＣＰＵ７２を備え」ることは、前記構成Ｂの「前記識別情報が変動表示する際の変動モードを設定する変動モード設定手段を備え」ることに相当する。
ウ　刊行物１発明の構成ｃの「特別遊技後の変動回数が１、２〜５０、５１、５２以降、の各値を順にとることに応じて」、「「第１特殊区間」、「第１区間」、「第２特殊区間」、「第２区間」」、「１つずつ所定の順序で切り換えて設定すること」は、それぞれ、本件補正発明の構成Ｃの「前記特定遊技の終了後から起算した前記識別情報の変動表示回数に応じて」、「複数の変動モード」、「１つずつ所定の順序で切り換えて設定すること」、に相当する。
　よって、前記構成ｃの「主制御ＣＰＵ７２は、特別遊技後の変動回数が１、２〜５０、５１、５２以降、の各値を順にとることに応じて、「第１特殊区間」、「第１区間」、「第２特殊区間」、「第２区間」をこの順番に設定することが可能であり」は、前記構成Ｃの「前記変動モード設定手段は、／　前記特定遊技の終了後から起算した前記識別情報の変動表示回数に応じて、複数の変動モードを１つずつ所定の順序で切り換えて設定することが可能であり」に相当する。
エ　上記ウの認定事項から、刊行物１発明の構成ｄの「「第１区間」、「第２特殊区間」、「第２区間」」の何れか一つ（以下「区間１〜２」という。）は、本件補正発明の構成Ｄの「前記複数の変動モードのうち一の変動モード」に相当する。
　そうすると、前記構成ｄでの、前記「区間１〜２」「を実行しているときに大当り遊技が実行された場合には、その終了後は当該大当たり遊技が「１５Ｒ確変」または「２Ｒ確変」であれば「第１特殊区間」をセット」すること、及び、前記「区間１〜２」「を実行しているときに大当り遊技が実行された場合には、その終了後は・・・大当り図柄種別が「２Ｒ通常図柄」であれば「時短区間」をセット」すること、は、いずれも、前記「区間１〜２」とは異なる「第１特殊区間」または「時短区間」にセットされるのであるから、該「第１特殊区間」または「時短区間」は、前記構成Ｄの「前記複数の変動モードのうち前記一の変動モードとは異なる変動モード」に相当するといえる。
　また、前記構成ｄにおける、前記「区間１〜２」を実行しているときに行われる大当たり遊技が「「１５Ｒ確変」または「２Ｒ確変」」であるか「２Ｒ通常図柄」に応じてその後「第１特殊区間」、「時短区間」のいずれに制御されるかが決まることは、前記構成Ｄの「前記特定態様の種類に応じて異なり得る変動モードを設定」することに相当するといえる。
　さらに、前記構成ｄの「大当り遊技が実行された場合」は、大当たり遊技が特定の識別情報が停止することに基づいて実行されることが当該分野における技術常識であるから、前記構成Ｄの「前記識別情報が前記特定態様で停止表示されたことに基づいて前記特定遊技が行われた場合」に相当する。
　よって、前記構成ｄの「「第１特殊区間」、「第１区間」、「第２特殊区間」、「第２区間」の何れかを実行しているときに大当り遊技が実行された場合には、その終了後は当該大当たり遊技が「１５Ｒ確変」または「２Ｒ確変」であれば「第１特殊区間」をセットし，大当り図柄種別が「２Ｒ通常図柄」であれば「時短区間」をセット」することは、前記構成Ｄの「前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードとは異なる変動モードであって前記特定態様の種類に応じて異なり得る変動モードを設定」することに相当する。
オ　刊行物１発明の構成ｅの「変動時間が約２０秒程度とされる「第１特殊区間」及び「第２特殊区間」と、はずれ時の変動時間が２．０秒程度とされる「第１区間」及び「第２区間」との間では、変動時間の選択割合が相違する」ことと、本件補正発明の構成Ｅの「前記複数の変動モードは、前記識別情報の変動表示を実行する期間として決定される変動表示時間の選択傾向が互いに異なるよう構成されている」こととは、「複数の変動モード
の少なくとも一部の組合せについて
カ　上記ア〜オによれば、本件補正発明と刊行物１発明は、下記（ア）の点で一致し、下記（イ）の点で相違する。 
（ア）一致点
「Ａ　識別情報が変動表示を経て特定態様で停止表示されることに基づいて、可変入球装置を遊技球受入可能な態様で作動させる特定遊技が実行可能となる遊技機であって、
Ｂ　前記識別情報が変動表示する際の変動モードを設定する変動モード設定手段を備え、
Ｃ　前記変動モード設定手段は、
　前記特定遊技の終了後から起算した前記識別情報の変動表示回数に応じて、複数の変動モードを１つずつ所定の順序で切り換えて設定することが可能であり、
Ｄ　前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードとは異なる変動モードであって前記特定態様の種類に応じて異なり得る変動モードを設定し、
Ｅ’　前記複数の変動モード
の少なくとも一部の組合せについて
Ｆ　ことを特徴とする遊技機。」
（イ）相違点（構成Ｅ）
　本件補正発明の構成Ｅは、複数の変動モードのすべてについて「変動表示時間の選択傾向が互いに異なるよう構成されている」のに対し、刊行物１発明では、「前記複数の変動モードの少なくとも一部の組合せについては、前記識別情報の変動表示を実行する期間として決定される変動表示時間の選択傾向が互いに異なるよう構成されている」点で共通するものの、複数の変動モードの他の一部の組合せについては、変動表示時間の選択傾向が互いに異なるか明確でない点で、両発明は相違する。
（７）相違点についての判断
　上記３．（３）ウで認定したとおり、刊行物２には「ぱちんこ遊技機１００は、小当たりＡに当選した場合に移行するＡモード、小当たりＢに当選した場合に移行するＢモード、小当たりＣに当選した場合に移行するＣモードの３つのモードを有し、Ｃモードへの移行は、Ｂモードのみからおこなわれ、Ａモードである場合には小当たりＢのみに当選し、Ｂモードである場合には小当たりＣのみに当選し、Ｃモードである場合には小当たりＡのみに当選することにより、Ａモードへの移行は、Ｃモードのみからおこなわれ、Ｂモードへの移行は、Ａモードのみからおこなわれ、主制御部２０１は、ＡモードからＢモードへ、ＢモードからＣモードへといったように、規則的なモードの移行をおこない、Ａモードに対し保留数に対応付けて変動時間１５秒及び５秒の変動パターンが割り当てられ、Ｂモードに対し変動時間１０秒の変動パターンが割り当てられ、Ｃモードに対し保留数に対応付けて２５秒及び２０秒の変動パターンが割り当てられること」が記載され、上記３．（４）ウ（ウ）で認定したとおり、刊行物３には「大当り遊技状態後の可変表示回数に応じ順に実行されるモード１、モード２、モード３の各演出モードについて、該個々のモードに設定されている複数の変動パターンの各変動時間と、該各変動パターンの選択確率との組合せが相違する」ことが記載され、上記３．（５）イで認定したとおり、刊行物４には「大当り遊技実行後の変動表示回数に応じて順に実行される「超速モード」、「通常速モード」、「遅速モード」は、相互に変動表示の変動時間の組合せが異なる」ことが記載されている。
　これらの記載事項はいずれも、パチンコ遊技機において、大当りまたは小当りといった特別遊技が実行されたあとで複数の変動モードが順に実行され、該各複数の変動モードの変動時間の選択傾向が互いに異なるように構成するという技術事項を示すものであり、これら各記載事項に例示されるとおり、パチンコ遊技機の分野において、特別遊技後の変動演出として前記技術事項に該当する演出は周知の技術事項であるといえる。
　そして、該技術事項は、上記相違点に係る本件補正発明の構成Ｅの「複数の変動モードは、前記識別情報の変動表示を実行する期間として決定される変動表示時間の選択傾向が互いに異なるよう構成」することに相当するものであり、刊行物１発明に該周知の技術事項を適用して相違点の構成とすることは、当業者が容易に想到し得たことである。
　また、本件補正発明により奏される効果は、当業者が、刊行物１発明及び周知の技術事項から予測し得た範囲内のものであって、格別のものではない。 
（８）審判請求書における請求人の主張について 
　審判請求書の４．（４−１）において請求人は、本件補正発明と刊行物１発明とは、上記構成Ｄの「前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードとは異なる変動モードであって前記特定態様の種類に応じて異なり得る変動モードを設定し」の点で相違し（＜相違点＞）、「引用文献１に係る発明では、第１特殊区間、第１区間、第２特殊区間及び第２区間のいずれかで大当りが発生すると、再び第１特殊区間に戻す思想が根幹にあるため（例えば、引用文献１の段落０４２２の記載から読み取れる）、＜相違点＞となる構成（特に、「前記複数の変動モードのうち前記一の変動モードとは異なる変動モードであって前記特定態様の種類に応じて異なり得る変動モードを設定し」との点）を採用する理由がない。」と主張している。
　しかし、構成Ｄでは「複数の変動モードのうち一の変動モードを設定している状態」すなわち複数の変動モードのうちの一つを設定している状態において、「前記識別情報が前記特定態様で停止表示されたことに基づいて前記特定遊技が行われた場合、当該特定遊技の終了後の変動モードとして、前記複数の変動モードのうち前記一の変動モードとは異なる変動モードであって前記特定態様の種類に応じて異なり得る変動モードを設定」するものであれば足りるのであり、上記３．（６）エで説示したとおり、刊行物１発明が、「「第１区間」、「第２特殊区間」、「第２区間」」の何れか一つを実行している場合に、実行された大当りの種別に応じ、これらとは異なる「第１特殊区間」または「時短区間」に設定されることは、前記構成Ｄに相当すると言える。
　また、「第１特殊区間」を実行する場合に特定遊技が行われた場合であっても、それが「２Ｒ通常図柄」に該当した場合に設定される「時短区間」は、特定遊技の停止図柄の種類に応じて異なる「区間」であって、「第１特殊区間」とは異なる「区間」であるから、前記「前記一の変動モードとは異なる変動モードであって前記特定態様の種類に応じて異なり得る変動モード」に相当するといえる。
　以上のとおりであるから、前記審判請求書における主張は採用できない。
（９）小括 
　したがって、上記（６）〜（８）において検討したように、本件補正発明は、刊行物１発明及び周知の技術事項に基づいて当業者が容易に発明をすることができたものであるから、特許法第２９条第２項の規定により、特許出願の際独立して特許を受けることができない。 
（１０）むすび 
　よって、本件補正は、仮に上記２．（２）、（３）で検討したとおりの新規事項の追加または目的外補正にあたらないとしても、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１に係る発明（以下、「本願発明」という。）は、平成２８年１１月２日付けの手続補正書により補正された、上記第２の１．で示した特許請求の範囲の請求項１に記載されたとおりのものである。 
２．原査定の拒理の理由
　原査定の拒絶の理由の概要は、以下のとおりである。
理由１．の出願の請求項１に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
理由２．この出願の請求項１に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献１．特開２０１４−１８３９１１号公報　（上記刊行物１に同じ。）
３．刊行物 
　原査定の拒絶の理由に引用文献１として引用された上記刊行物１の記載事項は、上記第２の３．（２）に記載したとおりである。 
４．対比・判断 
（１）本願発明は、上記本件補正発明の構成Ｄに替えて、「前記複数の変動モードのうち一の変動モードを設定している状態で前記識別情報が前記特定態様で停止表示されたことに基づいて前記特定遊技が行われた場合、当該特定遊技の終了後の変動モードとして、前記複数の変動モードのうち前記一の変動モードの次に設定予定の変動モードを除く他の変動モードを設定し、」なる構成Ｄ’を備えるものである。
　一方、上記刊行物１発明は構成ｃとして「主制御ＣＰＵ７２は、特別遊技後の変動回数が１、２〜５０、５１、５２以降、の各値を順にとることに応じて、「第１特殊区間」、「第１区間」、「第２特殊区間」、「第２区間」をこの順番に設定することが可能であり、」なる構成を備え、構成ｄとして「「第１特殊区間」、「第１区間」、「第２特殊区間」、「第２区間」の何れかを実行しているときに大当り遊技が実行された場合には、その終了後は当該大当たり遊技が「１５Ｒ確変」または「２Ｒ確変」であれば「第１特殊区間」をセットし，大当り図柄種別が「２Ｒ通常図柄」であれば「時短区間」をセットし、」なる構成を備える。
　該構成ｃにおいて特定されるように、「第１特殊区間」、「第１区間」、「第２特殊区間」、「第２区間」なる各区間は、特別遊技後にこの順番で連続設定されるものであり、この連続設定において「第２区間」は特別遊技後の変動回数が５２以上となった場合に実行される最後の区間であって、この後に「特別遊技後の変動回数」の値に応じて「第１特殊区間」、「第１区間」、「第２特殊区間」、「第２区間」、「時短区間」のいずれに移行することも予定されていない。
　そうすると、前記構成ｄにおいて、「「第１特殊区間」、「第１区間」、「第２特殊区間」、「第２区間」」が順に実行される中でそ「の何れかを実行しているときに大当り遊技が実行された場合に」移行される「第１特殊区間」及び「時短区間」はいずれも、「第１特殊区間」、「第１区間」、「第２特殊区間」、「第２区間」」のいずれに対しても、「次に設定予定の変動モード」にはあたらず、該「第１特殊区間」及び「時短区間」は共に、前記構成Ｄ’の「前記複数の変動モードのうち前記一の変動モードの次に設定予定の変動モードを除く他の変動モード」に相当するといえる。
　よって、前記構成ｄは、前記構成Ｄ’にも相当する。
（２）本願発明と本件補正発明とで構成Ｅは共通するから、本願発明と刊行物１発明との相違点は、上記第２の３．（６）カ（イ）で認定した相違点と同様の点で相違する。
　そして、上記第２の３．（７）で説示したとおり、刊行物１発明に該周知の技術事項を適用して相違点の構成とすることは、当業者が容易に想到し得たことである。
　よって、本願発明は、刊行物１発明及び周知の技術事項に基づいて当業者が容易に想到し得たものである。
　また、本願発明により奏される効果は、当業者が、刊行物１発明及び周知の技術事項から予測し得た範囲内のものであって、格別のものではない。 
５．むすび 
　以上のとおり、本願発明は、刊行物１に記載された発明及び周知の技術事項に基づいて当業者が容易に発明することができたものであり、特許法第２９条第２項の規定により特許を受けることができないものである。 
　したがって、本願は拒絶すべきものである。 
　よって、結論のとおり審決する。